Podtech/llm-jp-corpus-v4-ja_patent huggingface dataset:
【手続補正書】
【提出日】平成24年5月21日(2012.5.21)
【手続補正１】
【補正対象書類名】特許請求の範囲
【補正対象項目名】全文
【補正方法】変更
【補正の内容】
【特許請求の範囲】
【請求項１】
サンプル支持部と、
前記サンプル支持部の内部または表面の混合領域及び検出領域と、前記混合領域には担体要素と標識要素が事前に充填され、前記標識要素は前記混合領域から検出領域に移動し、検査されるサンプルの前記混合領域内への移動と、前記混合領域及び前記検出領域の間の試薬の移動と、をもたらす前記混合領域と前記検出領域の間の結合路と、
前記混合領域及び検出領域の間の前記結合路に結合された、前記サンプル支持部の内部または表面で検査される前記サンプル用の注入口と、
前記注入口と結合路は、検査される前記サンプルを混合領域に引き込む構成と、
を有することを特徴とするサンプル中の物質の有無の検査に使用されるサンプルキャリア。
【請求項２】
前記注入口は、前記混合領域と検出領域との間の前記結合路に結合され、サンプルキャリア内へのサンプル液の流れにより前記混合領域及び検出領域内の要素を押し離す、請求項１記載のサンプルキャリア。
【請求項３】
前記結合路は実質的に混合領域から検出領域に直線状である、請求項１または２記載のサンプルキャリア。
【請求項４】
前記結合路は毛細管現象によりその内部で液を移動させる、先行する請求項のいずれかに記載のサンプルキャリア。 
【請求項５】
前記サンプルキャリアは実質的に平面構造に形成されている、先行する請求項のいずれかに記載のサンプルキャリア。 
【請求項６】
前記サンプルキャリアは実質的に平坦である、先行する請求項のいずれかに記載のサンプルキャリア。 
【請求項７】
前記サンプル支持部はケーシングの壁を形成している、先行する請求項のいずれかに記載のサンプルキャリア。 
【請求項８】
前記ケーシングは、第１及び第２の被覆層と、内部に前記混合領域及び検出領域と、前記結合路を形成するための凹部または開口を有する少なくとも１つの中間層とを有するサンドイッチ構造として形成され、前記第１及び第２の被覆層の一方に前記管路に対する前記注入口が設けられている、請求項７記載のサンプルキャリア。 
【請求項９】
前記第１及び第２の被覆層は、前記混合領域及び検出領域と、前記結合路に対向する壁となる、請求項８記載のサンプルキャリア。
【請求項１０】
前記サンプル支持部は、前記混合領域及び検出領域と、前記結合路と、注入口とを形成する複数の親水性部分を有する、請求項１乃至６のいずれか１項記載のサンプルキャリア。
【請求項１１】
前記サンプル支持部は、前記混合領域及び検出領域と、前記結合路と、注入口とを形成する凹所を有する、請求項１乃至６のいずれか１項記載のサンプルキャリア。
【請求項１２】
前記検出領域に接続される少なくとも１つの検出端子が設けられている、先行する請求項のいずれかに記載のサンプルキャリア。 
【請求項１３】
前記少なくとも１つの検出端子は電気端子である、請求項１２に記載のサンプルキャリア。
【請求項１４】
前記少なくとも１つの検出端子は光学端子、共鳴端子、プラズモン端子（ａ ｐｌａｓｍｏｄｉｃ ｔｅｒｍｉｎａｌ）、振動端子または音波端子である、請求項１２記載のサンプルキャリア。 
【請求項１５】
識別部を有する、先行する請求項のいずれかに記載のサンプルキャリア。 
【請求項１６】
前記識別部は前記担体の種類を識別できる、請求項１５記載のサンプルキャリア。 
【請求項１７】
前記識別部は符号化部を有する、請求項１５または１６記載のサンプルキャリア。 
【請求項１８】
前記識別部は前記サンプルキャリアと関連する検査に関するデータを提供する記憶部を有する、請求項１５、１６または１７記載のサンプルキャリア。 
【請求項１９】
前記記憶部は前記サンプルキャリアと関連するテスター部に移送可能なデータを有する、請求項１８記載のサンプルキャリア。
【請求項２０】
前記混合領域には、前記担体要素及び標識要素を含む液体が装填されている、先行する請求項のいずれかに記載のサンプルキャリア。 
【請求項２１】
前記混合領域には、乾燥状態の担体要素と標識要素が事前に充填される、請求項１〜１９のいずれかに記載のサンプルキャリア。
【請求項２２】
前記検出領域には標識検出要素が装填されている、先行する請求項のいずれかに記載のサンプルキャリア。 
【請求項２３】
前記標識検出要素は前記標識要素をイオン化し、電気的検出により計測可能なイオンを生成する、請求項２２記載のサンプルキャリア。 
【請求項２４】
前記サンプルキャリアは使い捨てである、先行する請求項のいずれかに記載のサンプルキャリア。
【請求項２５】
検査装置とサンプルキャリアを備える装置であって、前記サンプルキャリアは先行する請求項のいずれかに記載のサンプルキャリアであり、前記検査装置は検査されるサンプルを移動させる移動部を有する。
【請求項２６】
前記移動部は検査されるサンプルを移動させる磁場を与えることができる、請求項２５記載の装置。
【請求項２７】
請求項１〜２４のいずれかに記載のサンプルキャリアを検査装置に接続し、
サンプルを採取し、そのサンプルを前記注入口に置き、
前記サンプルの含有物または特性に関連する１つ以上のパラメータを検知する検査装置を操作することを特徴とする、
サンプルキャリアを使用しサンプル中の物質の存在を検査する方法。
【請求項２８】
検知された前記パラメータまたはパラメータ群に基づき診断条件を決定することをさらに含む、請求項２７記載の方法。
【手続補正書】
【提出日】平成24年3月27日(2012.3.27)
【手続補正１】
【補正対象書類名】明細書
【補正対象項目名】００１０
【補正方法】変更
【補正の内容】
【００１０】
本発明の反射防止コーティング組成物は、芳香族発色団を含まないポリマー、酸発生剤、場合により及び架橋剤を含み、該ポリマーは、アミノプラスト類から誘導される構造単位と、ジオール類、トリオール類、ジチオール類、トリチオール類、他のポリオール類、二酸類（ｄｉａｃｉｄ）、三酸類（ｔｒｉａｃｉｄ）、他のポリ酸類、ジイミド類、ジアミド類、イミド−アミド類またはこれらの混合物から誘導される構造単位とを含み、この際、前記ジオール類、ジチオール類、トリオール類、トリチオール類、二酸類、三酸類、ジイミド類、ジアミド類またはイミド−アミドは、ＩＣ製造に有用な波長での吸光性を改善しかつ反射防止材料に高いｎ値を達成するために、場合により、一つもしくはそれ以上の窒素及び／または硫黄原子を含むかあるいは一つもしくはそれ以上のアルケン基を含む。
【手続補正２】
【補正対象書類名】明細書
【補正対象項目名】００１２
【補正方法】変更
【補正の内容】
【００１２】
また本発明は、本明細書に開示される反射防止コーティング組成物から形成された反射防止膜層を表面上に有する基材を含む被覆された基材であって、前記反射防止膜層が、１９３ｎｍで測定した時に０．０１≦ｋ＜０．３５の範囲の吸光パラメータ（ｋ）を有する前記基材にも関する。加えて、本発明は、ａ）本明細書に記載の反射防止コーティング組成物で基材をコーティングしそしてベークし；  ｂ）反射防止膜の上にフォトレジストをコーティングしそしてベークし；  ｃ）フォトレジストを像様露光し；  ｄ）フォトレジストに像を現像し；  ｅ）場合により、露光段階の後に基材をベークすることを含む、像を形成するための方法にも関する。加えて、本発明は、ａ）基材上に反射防止フィルムを形成し、ここで前記反射防止フィルムは本発明の反射防止コーティング組成物から形成され、該反射防止コーティング組成物中のジオール類、トリオール類、ジチオール類、トリチオール類、二酸類、三酸類、ジイミド類、ジアミド類またはイミド−アミド類は、該反射防止コーティング組成物中のポリマーの最大吸収が、フォトレジストのための露光波長よりも小さくなるように選択され、かつ露光波長は、反射防止コーティング組成物中のポリマーの吸光バンドの長波長側で最大吸収と最小吸収との間にあり、その結果として、反射防止フィルムの屈折率“ｎ”を高めかつ反射防止フィルムの吸光パラメータ“ｋ”を低める反射防止フィルムの屈折率に対する異常分散寄与を生じ；  及びｂ）反射防止フィルムの上にフォトレジストフィルムを形成することを含む、露光波長に感度を示す反射防止フィルム及びフォトレジストフィルムを基材上に形成する方法にも関する。場合により、前記ジオール類、トリオール類、ジチオール類、トリチオール類、他のポリオール類、二酸類、三酸類、他のポリ酸類、ジイミド類、ジアミド類またはイミド−アミド類は、該反射防止コーティング組成物中のポリマーの最大吸収がフォトレジストの露光波長よりも小さくなるように選択することができ、ここで露光波長は、長波長側で、該反射防止コーティング組成物中のポリマーの吸光バンドの半分の高さと最小吸収との間にある。
【図面の簡単な説明】
【手続補正３】
【補正対象書類名】明細書
【補正対象項目名】００１８
【補正方法】変更
【補正の内容】
【００１８】
更に本発明は、本明細書に記載の反射防止コーティング組成物から形成された反射防止膜層を表面上に有する基材を含む被覆された基材であって、反射防止膜層が、１９３ｎｍで測定して０．０１≦ｋ＜０．３５の範囲の吸光パラメータ（ｋ）を有する、前記基材にも関する。加えて、本発明は、ａ）本明細書に記載の反射防止コーティング組成物で基材をコーティングしそしてベークし；  ｂ）反射防止膜の上にフォトレジストフィルムをコーティングしそしてベークし；  ｃ）フォトレジストを像様露光し；  ｄ）フォトレジストに像を現像し；  ｅ）場合により、露光段階の後に基材をベークすることを含む、画像形成方法にも関する。加えて、本発明は、ａ）基材上に反射防止フィルムを形成し、ここで前記反射防止フィルムは、本発明の反射防止コーティング組成物から形成され、ここで該反射防止コーティング組成物中の前記ジオール類、トリオール類、ジチオール類、トリチオール類、二酸類、三酸類、ジイミド類、ジアミド類またはイミド−アミド類は、反射防止コーティング組成物中のポリマーの最大吸収は、フォトレジストの露光波長より小さくなるように選択され、ここでこの露光波長は、反射防止コーティング組成物中のポリマーの吸光バンドの長波長側で最大吸収と最小吸収との間にあり、その結果、反射防止フィルムの屈折率“ｎ”を高めかつ反射防止フィルムの吸光パラメータ“ｋ”を低める反射防止フィルムの屈折率に対する異常分散寄与を生じ；  及びｂ）反射防止フィルム上にフォトレジストフィルムを形成することを含む、露光波長に感度のある反射防止フィルム及びフォトレジストフィルムを基材上に形成する方法にも関する。場合により、前記ジオール類、トリオール類、ジチオール類、トリチオール類、他のポリオール類、二酸類、三酸類、他のポリ酸類、ジイミド類、ジアミド類またはイミド−アミド類は、反射防止コーティング組成物中のポリマーの最大吸収はフォトレジストの露光波長より小さくなるように選択することができ、ここで露光波長は、長波長側で、反射防止コーティング組成物中のポリマーの吸光バンドの半分の高さと最小吸収との間にある。
【手続補正書】
【提出日】平成24年6月29日(2012.6.29)
【手続補正１】
【補正対象書類名】特許請求の範囲
【補正対象項目名】全文
【補正方法】変更
【補正の内容】
【特許請求の範囲】
【請求項１】
複数の英数字によって規定され、第１のユーザに関連付けられた第１のモバイル通信装置で開始されたテキストサーチを行なうための方法であって、
前記第１のモバイル通信装置に格納されたデータに対して、前記英数字との部分一致または完全一致をサーチするステップと、
第１のユーザが複数のモバイル通信装置と関連付けられた第１の複数の他のユーザによる共有用に利用できるようにしたデータに対して、前記英数字との部分一致または完全一致をサーチするステップとを含み、前記第１のモバイル通信装置および前記複数のモバイル通信装置はサーバと通信しており、前記方法はさらに、
複数のモバイル通信装置上で走っているアプリケーションプログラムに対して、前記英数字との部分一致または完全一致をサーチするステップと、
一致するサーチ結果を表示するステップとを含む、方法。
【請求項２】
前記複数のモバイル通信装置上で走っているアプリケーションプログラムに対する、前記英数字との部分一致または完全一致のサーチは、それらの複数のユーザからの認証なしで行なわれる、請求項１に記載の方法。
【請求項３】
複数のユーザを有する、部分的にまたは完全に一致するアプリケーションプログラム名は、単一のユーザを有する、部分的にまたは完全に一致するアプリケーションプログラム名よりもランクが高い、請求項１に記載の方法。
【請求項４】
部分的にまたは完全に一致する第１のアプリケーションプログラム名は、部分的にまたは完全に一致する第１のアプリケーションプログラム名ほど頻繁に使用されなかった部分的にまたは完全に一致する第２のアプリケーションプログラム名よりも、ランクが高い、請求項１に記載の方法。
【請求項５】
前記第１のユーザが前記サーバから一致するアプリケーションをダウンロードできるようにするステップをさらに含む、請求項１に記載の方法。
【請求項６】
前記第１のユーザを、一致するアプリケーションプログラムを販売するオンラインストアにリダイレクトするステップと、
前記第１のユーザが一致するアプリケーションプログラムを購入できるようにするステップとをさらに含む、請求項１に記載の方法。
【請求項７】
前記オンラインストアは、前記第１の複数の他のユーザのうちの少なくとも一人がアプリケーションプログラムのコピーを購入したストアである、請求項６に記載の方法。
【請求項８】
前記第１のモバイル通信装置が第１のアプリケーションを走らせることができない場合、前記第１のユーザが、一致するアプリケーションの少なくともいくつかの機能を行なうアプリケーションをダウンロードできるようにするステップをさらに含む、請求項１に記載の方法。
【請求項９】
一致するアプリケーションプログラムを有するユーザを識別するステップをさらに含む、請求項１に記載の方法。
【請求項１０】
外部情報源に対して、英数字との部分一致または完全一致をサーチするステップをさらに含む、請求項１に記載の方法。
【請求項１１】
モバイル通信装置であって、
第１のモバイル通信装置に格納されたデータに対して、複数の英数字との部分一致または完全一致をサーチするよう適合された、第１のモジュールと、
第２のコンポーネントとを含み、前記第２のコンポーネントは、
第１のユーザが複数のモバイル通信装置と関連付けられた第１の複数の他のユーザによる共有用に利用できるようにしたデータに対して、前記複数の英数字との部分一致または完全一致について受信するよう適合されており、前記第１のモバイル通信装置および前記複数のモバイル通信装置はサーバと通信しており、前記第２のコンポーネントはさらに、
前記複数のモバイル通信装置上で走っているアプリケーションプログラムに対して、前記複数の英数字との部分一致または完全一致について受信するよう適合されており、前記モバイル通信装置はさらに、
一致するサーチ結果を表示するための表示モジュールをさらに含む、モバイル通信装置。
【請求項１２】
前記複数のモバイル通信装置上で走っているアプリケーションプログラムにおける、前記英数字との部分一致または完全一致のサーチは、それらの複数のユーザからの認証なしで行なわれる、請求項１１に記載のモバイル通信装置。
【請求項１３】
複数のユーザを有する、部分的にまたは完全に一致するアプリケーションプログラム名は、単一のユーザを有する、部分的にまたは完全に一致するアプリケーションプログラム名よりもランクが高い、請求項１１に記載のモバイル通信装置。
【請求項１４】
部分的にまたは完全に一致する第１のアプリケーションプログラム名は、部分的にまたは完全に一致する第１のアプリケーションプログラム名ほど頻繁に使用されなかった部分的にまたは完全に一致する第２のアプリケーションプログラム名よりも、ランクが高い、請求項１１に記載のモバイル通信装置。
【請求項１５】
前記第１のユーザが前記サーバから一致するアプリケーションをダウンロードできるようにするよう適合されたモジュールをさらに含む、請求項１１に記載のモバイル通信装置。
【請求項１６】
前記第１のユーザを、一致するアプリケーションプログラムを販売するオンラインストアにリダイレクトするよう適合されたモジュールと、
前記第１のユーザが一致するアプリケーションプログラムを購入できるようにするよう適合されたモジュールとをさらに含む、請求項１１に記載のモバイル通信装置。
【請求項１７】
前記オンラインストアは、前記第１の複数の他のユーザのうちの少なくとも一人がアプリケーションプログラムのコピーを購入したストアである、請求項１６に記載のモバイル通信装置。
【手続補正書】
【提出日】平成24年6月18日(2012.6.18)
【手続補正１】
【補正対象書類名】特許請求の範囲
【補正対象項目名】全文
【補正方法】変更
【補正の内容】
【特許請求の範囲】
【請求項１】
電子デバイスに配置された１つまたは複数のプロセッサによって実行されると、メディアコンテンツおよび関連するコンテキスト情報およびエクスペリエンスを整理するための方法を実施する命令を含むコンピューター可読媒体であって、前記命令が、
複数のコンテキストオブジェクトを含む第１のハローで第１のコンテンツアイテムを論理的に囲むステップであって、前記第１のコンテンツアイテムがエンターテイメントのアイテムを表し、前記コンテキストオブジェクトが前記第１のコンテンツアイテムに文脈上関連して、メディアコンテンツ、情報、データ、もしくは前記デバイスのユーザーのための対話型エクスペリエンスのうちの少なくとも１つを表し、前記コンテキストオブジェクトが前記デバイス上のディスプレイ画面に表示可能であるステップと、
前記第１のハローの中の前記コンテキストオブジェクトと対話するための１つまたは複数のユーザーコントロールをサポートし、前記１つまたは複数のコントロールを操作することにより、前記第１のコンテンツアイテムと前記第１のハローの中の前記コンテキストオブジェクトとの間の移動を可能にするステップと、
前記第１のハローの中のコンテキストオブジェクトの選択により当該選択されたコンテキストオブジェクトを第２のコンテンツアイテムに変形させるステップと、
前記第２のコンテンツアイテムに文脈上関連する複数のコンテキストオブジェクトを含む第２のハローを生成するステップと、
前記デバイスによってサポートされるユーザーエクスペリエンスの制御を容易にするための前記ユーザーによるコンテキストオブジェクトとの対話を可能にするステップと、
を含む、コンピューター可読媒体。
【請求項２】
前記コンテキストオブジェクトが、静的コンテンツ、動的コンテンツ、１つまたは複数のウェブサイトから抜粋されたコンテンツ、ユーザーの投稿もしくは追加、商用コンテンツ、コミュニティと関連するコンテンツ、またはユーザーのソーシャルグラフと関連するコンテンツのうちの少なくとも１つを表す、請求項１に記載のコンピューター可読媒体。
【請求項３】
前記操作することが、コンテキストオブジェクトを中心に引き寄せることを含み、前記コンテキストアイテムが前記ディスプレイ画面から外れて配置される、または前記コンテキストオブジェクトの一部が前記ディスプレイ画面から外れて配置される、請求項１に記載のコンピューター可読媒体。
【請求項４】
前記操作することが、コンテキストオブジェクトを中心に引き寄せることを含み、前記コンテキストオブジェクトが、前記ディスプレイ画面に前記コンテンツアイテムと同時に表示される、請求項１に記載のコンピューター可読媒体。
【請求項５】
前記コンテキストオブジェクトが、サムネイルとして示される、請求項４に記載のコンピューター可読媒体。
【請求項６】
前記操作することが、コンテンツアイテムをめくって、その反対側にあるコンテキストオブジェクトを見せることを含む、請求項１に記載のコンピューター可読媒体。
【請求項７】
前記対話型ユーザーエクスペリエンスが、新しいコンテンツアイテムの発見を含む、請求項１に記載のコンピューター可読媒体。
【請求項８】
パーソナルメディアプレーヤーであって、
テキストおよびグラフィックをレンダリングするように構成されたディスプレイ画面と、
ユーザーコントロールと、
１つまたは複数のコンテンツアイテムを示すＧＵＩをレンダリングするために前記ディスプレイ画面と接続しているデジタルメディア処理システムと、
前記パーソナルメディアプレーヤーの中の１つまたは複数のプロセッサによって実行されるとき、ｉ）それぞれがコンテンツアイテムを囲んで前記コンテンツアイテムに文脈上の意味を与える複数のハロー内に論理的に読み込まれた複数のコンテキストオブジェクトを表示するように構成された前記ＧＵＩを、前記ディスプレイ画面上に実装する、ｉｉ）前記ユーザーコントロールが前記ユーザーによって操作されて、前記ディスプレイ画面に表示可能であるコンテキストオブジェクトに移動することを可能にする、コンピューター可読命令を有するメモリーと、
を含み、
第１のコンテンツアイテムを囲む第１のハローの中のコンテキストオブジェクトの選択により当該選択されたコンテキストオブジェクトを第２のコンテンツアイテムに変形させ、前記第２のコンテンツアイテムに文脈上関連する複数のコンテキストオブジェクトを含む第２のハローを生成するように、前記コンピューター可読命令が動作可能である、パーソナルメディアプレーヤー。
【請求項９】
前記ユーザーコントロールが、中央方向、左方向、右方向、上方向、および下方向の制御作動をサポートするＤパッドを含む、請求項８に記載のパーソナルメディアプレーヤー。
【請求項１０】
前記ユーザーコントロールが、スイッチおよびタッチセンシティブ表面を備えるＧパッドを含み、前記Ｇパッドが中央方向、左方向、右方向、上方向、および下方向の制御作動をサポートすることによってＤパッドの機能に取って代わる、請求項８に記載のパーソナルメディアプレーヤー。
【請求項１１】
前記携帯メディアプレーヤーが、リモートサービスからコンテキストオブジェクトを取得するために、媒介デバイスと同期されることが可能である同期ポートをさらに含む、請求項８に記載のパーソナルメディアプレーヤー。
【請求項１２】
前記デジタルメディア処理システムが、メディアコンテンツを受信し、前記メディアコンテンツを格納し、前記メディアコンテンツの一部を前記ディスプレイ画面にレンダリングするように構成された、請求項８に記載のパーソナルメディアプレーヤー。
【請求項１３】
前記操作が、前記コンテキストオブジェクトをつかんで、前記コンテキストオブジェクトを中心に引き寄せることを含む、請求項８に記載のパーソナルメディアプレーヤー。
【請求項１４】
前記操作が、対話形式でコンテンツアイテムからコンテキストオブジェクトへ移動することを含む、請求項８に記載のパーソナルメディアプレーヤー。
【手続補正書】
【提出日】平成24年6月29日(2012.6.29)
【手続補正１】
【補正対象書類名】特許請求の範囲
【補正対象項目名】請求項１４
【補正方法】変更
【補正の内容】
【請求項１４】
同一のモデルからは、クラスごとにモードが１つだけ供給されることと、
前記推定は、それぞれの推定の導出元とは独立にすべて同じ重みを有することと、の２つの制約のいずれか一方を実現し、前記モードを推定するステップから供給されたモードを分類するステップを有することを特徴とする、請求項４〜１３のいずれか１項に記載の方法。
【手続補正書】
【提出日】平成24年6月20日(2012.6.20)
【手続補正１】
【補正対象書類名】特許請求の範囲
【補正対象項目名】全文
【補正方法】変更
【補正の内容】
【特許請求の範囲】
【請求項１】
セキュリティアイデンティティを表すためのデータモデルのデータ構造であって、
エンティティのアイデンティティを少なくとも１つの他のエンティティに対する複数の属性として表す少なくとも１つのアイデンティティコンポーネントのための記憶領域、
前記エンティティのアイデンティティに関連付けられたセキュリティ情報を表す少なくとも１つのアイデンティティ・プリンシパル・コンポーネントのための記録領域、
前記エンティティによって少なくとも１つの他のエンティティに対して作成された宣言を表す少なくとも１つのクレームコンポーネントのための記録領域、および
前記宣言に関連付けられたメタデータを表す少なくとも１つのクレーム・プロパティ・コンポーネントのための記録領域を備え、
少なくとも１つのクレームを表すために、前記アイデンティティコンポーネント、アイデンティティ・プリンシパル・コンポーネント、クレームコンポーネント、クレーム・プロパティ・コンポーネントが組み合わされて、前記データモデルが前記エンティティのコンピュータまたは前記データモデルを作成したコンピュータから他のエンティティのコンピュータに送られ、前記他のエンティティのコンピュータは、前記エンティティのコンピュータまたは前記データモデルを作成したコンピュータから受け取ったデータモデルを使用することにより前記エンティティのアイデンティティを認証することを特徴とするデータモデルのデータ構造。
【請求項２】
前記アイデンティティコンポーネントは、前記クレームのコレクション、ラベル、および委任アイデンティティのフィールドを含むことを特徴とする請求項１に記載のデータモデルのデータ構造。
【請求項３】
前記アイデンティティ・プリンシパル・コンポーネントは、アイデンティティコレクションのフィールドを含むことを特徴とする請求項１に記載のデータモデルのデータ構造。
【請求項４】
前記クレームコンポーネントは、前記クレームのタイプ、クレーム値、クレーム値タイプ、プロパティコレクション、発行者、および対象者のフィールドを含むことを特徴とする請求項１に記載のデータモデルのデータ構造。
【請求項５】
前記少なくとも１つのクレーム・プロパティ・コンポーネントは、前記各々の少なくとも１つのクレームコンポーネントに関連付けられ、前記少なくとも１つのクレームコンポーネントは、前記少なくとも１つのアイデンティティ・プリンシパル・コンポーネントに関連付けられ、前記少なくとも１つのクレーム・プロパティ・コンポーネントは、前記少なくとも１つのクレームコンポーネントに関連付けられることを特徴する請求項１に記載のデータモデルのデータ構造。
【請求項６】
前記少なくとも１つのクレーム・アイデンティティ・コンポーネントは、１つのクレームコンポーネントに関連付けられることを特徴とする請求項１に記載のデータモデルのデータ構造。
【請求項７】
前記データモデルを作成したコンピュータにより前記クレームがセキュリティトークンに変換されることをさらに含むことを特徴とする請求項１に記載のデータモデルのデータ構造。
【請求項８】
エンティティのアイデンティティを少なくとも１つの他のエンティティに対する複数の属性として表す第１のパラメータ、
前記エンティティのアイデンティティに関連付けられたセキュリティ情報を表す第２のパラメータ、
前記エンティティによって前記少なくとも１つの他のエンティティに対して作成された宣言を表す第３のパラメータ、
前記宣言に関連付けられたメタデータを表す第４のパラメータ、および
前記第１〜第４のパラメータを受信して格納し、当該格納された第１〜第４のパラメータを使用することにより前記エンティティのアイデンティティを認証する処理をコンピュータに実行させるプログラム
を記憶していることを特徴とするコンピュータ可読記憶媒体。
【請求項９】
前記第１のパラメータは、クレーム・アイデンティティ・パラメータであることを特徴とする請求項８に記載のコンピュータ可読記憶媒体。
【請求項１０】
前記第２のパラメータは、アイデンティティ・プリンシパル・パラメータであることを特徴とする請求項８に記載のコンピュータ可読記憶媒体。
【請求項１１】
前記第３のパラメータは、クレームパラメータであることを特徴とする請求項８に記載のコンピュータ可読記憶媒体。
【請求項１２】
前記第４のパラメータは、クレーム・プロパティ・パラメータであることを特徴とする請求項８に記載のコンピュータ可読記憶媒体。
【請求項１３】
前記アイデンティティコンポーネントは、前記クレームのコレクション、ラベル、および委任アイデンティティのフィールドを含むことを特徴とする請求項９に記載のコンピュータ可読記憶媒体。
【請求項１４】
前記アイデンティティ・プリンシパル・コンポーネントは、前記アイデンティティのコレクションのフィールドを含むことを特徴とする請求項１０に記載のコンピュータ可読記憶媒体。
【請求項１５】
前記クレームコンポーネントは、前記クレームのタイプ、クレーム値、クレーム値タイプ、プロパティコレクション、発行者、および対象者のフィールドを含むことを特徴とする請求項１１に記載のコンピュータ可読記憶媒体。
【請求項１６】
第１のエンティティに関連付けられている第１のセキュリティ識別子を第１のコンピュータで発行するステップ、
前記第１のセキュリティ識別子を少なくとも１つの処理サーバに送信するステップ、
第２のエンティティに関連付けられている第２のセキュリティ識別子を第２のコンピュータで発行するステップであって、前記第２のセキュリティ識別子には前記第１のセキュリティ識別子が組み込まれている、第２のセキュリティ識別子を発行するステップ、および
前記第１のエンティのアイデンティティに関して、前記第２のセキュリティ識別子に基づいて第３のコンピュータで認証決定を行うことを特徴とする方法。
【請求項１７】
前記第１のセキュリティ識別子は少なくとも１つのクレームを含み、前記第２のセキュリティ識別子は少なくとも１つのクレームを含むことを特徴とする請求項１６に記載の方法。
【請求項１８】
前記少なくとも１つのクレームは、エンティティに関する宣言を含むことを特徴とする請求項１７に記載の方法。
【請求項１９】
前記第１のコンピュータで、前記第１のセキュリティ識別子を第１のセキュリティトークンにパッケージ化して前記第２のコンピュータに送信するステップおよび前記第２のコンピュータで前記第２の識別子を前記第２のセキュリティトークンにパッケージ化して前記第３のコンピュータに送信するステップをさらに含むことを特徴とする請求項１６に記載の方法。
【請求項２０】
前記第３のコンピュータは、前記第１のエンティティのアイデンティティに関して、前記第２のセキュリティ識別子の中に組み込まれた第１のセキュリティ識別子に基づいて認証決定を行うことを特徴とする請求項１６に記載の方法。
【誤訳訂正書】
【提出日】平成24年6月7日(2012.6.7)
【誤訳訂正１】
【訂正対象書類名】明細書
【訂正対象項目名】００３１
【訂正方法】変更
【訂正の内容】
【００３１】
図２は、この発明の他の実施例に基づく金型の幅広側面の金型銅板１’の横断面を示す。図解において下に、金型の内面が見られる。金型銅板１’の外面（上）には、冷却通路６’があり、その冷却通路の間にスリット或いは溝４’が存在し、溝には光波導体２が金型銅板と接触して配置されている。光波導体２はこの実施例において貴金属外套７を有するけれども、光波導体２は被覆無しにシステム内に設けられることもまた可能である。その上、多数の光波導体或いは光波導体繊維２がそのような外套７の内部に配置され得る。さらに、光波導体２がこの例では特に鋳造樹脂を溝４’に流し込まれる。図２の表現は、溝４’、冷却通路６’、光波導体２と金型銅板１’の間の現実的大きさ関係を示す。溝４’、光波導体２と冷却通路６’の大きさは特別に使用された金型に依存し、これらが図１に対する説明に挙げられているように、大きさの程度で位置できる。
【手続補正書】
【提出日】平成24年7月9日(2012.7.9)
【手続補正１】
【補正対象書類名】明細書
【補正対象項目名】００７０
【補正方法】変更
【補正の内容】
【００７０】
ａｃｓおよびｐｒｐＥ遺伝子を増幅するために、テンプレートとして大腸菌の染色体ＤＮＡと、ａｃｓ  Ｆおよびａｃｓ  Ｒと呼ばれるａｃｓ増幅のための、ならびにｐｒｐＥ  ＦおよびｐｒｐＥ  Ｒと呼ばれるｐｒｐＥ増幅のための、上記プライマー（表１参照）とを用いてＰＣＲが行われる。
【手続補正２】
【補正対象書類名】明細書
【補正対象項目名】００８４
【補正方法】変更
【補正の内容】
【００８４】
ｐＢＢＲＭＣＳ５−Ｐｔｒｃ０１／ＯＰ０１／ＲＢＳ０１−ｐｈａＣ１ｒｅ−ｐｒｐＥｓｔ−ＴＴ０２およびｐＵＣ１９−Ｐｔｒｃ０１／ＯＰ０１／ＲＢＳ０１−ｐｈａＣ１ｒｅ−ｐｒｐＥｓｔ−ＴＴ０２ベクターを、エレクトロポレーションにより、大腸菌ＭＧ１６５５野生株に導入し、それぞれＭＧ１６５５（ｐＢＢＲＭＣＳ５−Ｐｔｒｃ０１／ＯＰ０１／ＲＢＳ０１−ｐｈａＣ１ｒｅ−ｐｒｐＥｓｔ−ＴＴ０２）およびＭＧ１６５５（ｐＵＣ１９−Ｐｔｒｃ０１／ＯＰ０１／ＲＢＳ０１−ｐｈａＣ１ｒｅ−ｐｒｐＥｓｔ−ＴＴ０２）株を得た。
【手続補正書】
【提出日】平成24年7月9日(2012.7.9)
【手続補正１】
【補正対象書類名】特許請求の範囲
【補正対象項目名】全文
【補正方法】変更
【補正の内容】
【特許請求の範囲】
【請求項１】
（ａ）層状珪酸塩と、
（ｂ）ポリマーマトリクスまたはプラスチックマトリクスと、を含むことを特徴とする、ナノ複合材料。
【請求項２】
上記層状珪酸塩は、カオリナイト、ギブサイト、ディッカイト、ネークライト、ハロイサイト、モンモリロナイト、雲母、バーミキュライトまたはセピオライト型の珪酸塩から選択されることを特徴とする、請求項１に記載のナノ複合材料。
【請求項３】
上記層状珪酸塩は、カオリナイト型であることを特徴とする、請求項２に記載のナノ複合材料。
【請求項４】
上記層状珪酸塩は、他の成分に対して、０．０５重量％〜９８重量％の比率で含まれていることを特徴とする、請求項１〜３のいずれか１項に記載のナノ複合材料。
【請求項５】
上記層状珪酸塩は、０．０５重量％〜３０重量％の比率で含まれていることを特徴とする、請求項４に記載のナノ複合材料。
【請求項６】
上記層状珪酸塩は、０．０５重量％〜１５重量％の比率で含まれていることを特徴とする、請求項５に記載のナノ複合材料。
【請求項７】
上記ポリマーマトリクスまたはプラスチックマトリクスは、ポリオレフィンの群から選択されることを特徴とする、請求項１〜６のいずれか１項に記載のナノ複合材料。
【請求項８】
上記マトリクスは、２重量％〜９９．９重量％の比率で含まれていることを特徴とする、請求項１〜７のいずれか１項に記載のナノ複合材料。
【請求項９】
上記マトリクスは、６０重量％〜９９．９重量％の比率で含まれていることを特徴とする、請求項８に記載のナノ複合材料。
【請求項１０】
請求項１〜９のいずれか１項に記載のナノ複合材料を調製するプロセスであって、
（ａ）上記ポリマーマトリクスを、４０℃〜３５０℃の範囲内の温度にて有機溶媒に溶解するステップと、
（ｂ）粉体状、または該ステップ（ａ）における溶媒と同一もしくは別の溶媒を用いた溶液状の、層状珪酸塩を添加して、混合物を攪拌するステップと、
（ｃ）得られた生成物を有機溶媒に沈殿させ、分離するステップと、
を含むことを特徴とするプロセス。
【請求項１１】
請求項１〜９のいずれか１項に記載のナノ複合材料を調製するプロセスであって、
（ａ）層状珪酸塩を溶媒中に分散させるステップと、
（ｂ）上記マトリクスを形成するポリマーの、モノマーまたはモノマー溶液を添加するステップと、
（ｃ）チーグラーナッタ型、フィリップス型またはメタロセンから選択される触媒を添加するステップと、
（ｄ）所望の分子量が得られるまで、重合化プロセスおよびポスト重合化プロセスを実行するステップと、
を含むことを特徴とするプロセス。
【請求項１２】
請求項１〜９のいずれか１項に記載のナノ複合材料を調製するプロセスであって、
（ａ）上記マトリクスを形成するポリマーを溶融するステップと、
（ｂ）乾燥した粉体状、または水、脂肪族炭化水素、脂環式炭化水素、芳香族炭化水素、ハロゲン化炭化水素、グリコール、エーテル、エステル、ケトン、ニトリル、アルコール、もしくはこれらの任意の混合物によって形成される群から選択される溶媒の懸濁液状の、表面変性されていない層状珪酸塩を添加するステップと、
（ｃ）上記成分の全てを、溶融混合プロセスによって均一化するステップと、
を含むことを特徴とするプロセス。
【請求項１３】
上記懸濁液状の層状珪酸塩を上記溶融ポリマーに添加する際に使用される溶媒が、水またはアルコールまたはこれらの混合物であることを特徴とする、請求項１２に記載のプロセス。
【請求項１４】
上記プラスチックマトリクス中における上記層状珪酸塩の凝縮物、または上記マトリクス中における所望の最終濃度の層状珪酸塩を得た後に、これらを、同一もしくは別の未使用ポリマーもしくはプラスチックで十分に希釈するか、または任意のプラスチック製造方法によって直接加工することを特徴とする、請求項１０〜１３のいずれか１項に記載のプロセス。
【請求項１５】
上記プラスチックマトリクスに、電磁放射に対する障壁特性および／または耐火特性および／または活性および／または生物活性を有している、任意の添加剤、ナノ添加剤、またはナノ添加剤もしくはナノ粘土の凝縮物を添加することを特徴とする、請求項１０〜１４のいずれか１項に記載のプロセス。
【請求項１６】
請求項１〜９のいずれか１項に記載のナノ複合材料の、包装およびラップ材料としての使用、医薬的および生物医学的用途のための使用、有毒ガス、または飲料製品および食品の質を特徴付けるにおいを検出するためのガスセンサとしての使用、太陽エネルギーを変換する高性能光電池システムとしての使用、有効成分を放出するための使用、溶媒および有機製品に対する障壁としての使用、生物分解性または堆肥性の用途への使用、抗菌剤、抗酸化剤、または低分子量成分を制御しながら放出することが必要な他の任意の種類を必要とする、活性容器のための使用、可塑剤を必要としないバイオポリマーの用途への使用、高い抵抗／質量比を必要とする、航空宇宙産業用途、生物医学的用途および輸送手段用途の新規材料のための使用、腐食、引掻きおよび損耗への耐性を有する表面コーティングのための使用、引張り強さが高く易損性が少ない刃物としての使用、耐火性の用途における難燃剤としての使用、自動車部品としての使用、あるいは、生物医学的用途における使用。
【手続補正書】
【提出日】平成24年7月6日(2012.7.6)
【手続補正１】
【補正対象書類名】特許請求の範囲
【補正対象項目名】全文
【補正方法】変更
【補正の内容】
【特許請求の範囲】
【請求項１】
生物活性物質とポリマーを含み、平均粒径が１０〜５００μｍの体積平均径（ＶＭＤ）として表される微粒子を調製する方法であって、前記生物活性物質は前記ポリマーに実質的に不溶性であり、前記方法は、
ａ．前記生物活性物質又はその前駆体、前記ポリマー又はその前駆体及び加工助剤の混合物を超臨界流体に接触させ、前記流体を超臨界状態に維持するのに必要な温度状態及び圧力状態で前記ポリマーを膨張可能にし、
ｂ．前記超臨界流体が超臨界状態に維持されるように前記温度状態及び圧力状態を維持しながら、前記超臨界流体を前記ポリマーに浸透させて液化し、
ｃ．前記圧力を下げて、前記生物活性物質及び前記ポリマーを含む微粒子を沈殿させる
ことを含み、
前記加工助剤は、脂肪酸のオリゴマー又はポリマー、脂肪酸エステル、ヒドロキシ脂肪酸エステル、ピロリドン又はポリエーテル、中鎖及び長鎖トリグリセリド、ポロキサマー、リン脂質、これらの誘導体及びこれらの混合物から選択される、方法。
【請求項２】
超臨界反応過程で生物活性物質とポリマーを含む微粒子の収量が増加するか増進し、加工助剤の非存在下で同じ方法で得られた収量と比較して微粒子の収量を増加させるための、脂肪酸のオリゴマー又はポリマー、脂肪酸エステル、ヒドロキシ脂肪酸エステル、ピロリドン又はポリエーテル、中鎖及び長鎖トリグリセリド、ポロキサマー、リン脂質、これらの誘導体及びこれらの混合物から選択される加工助剤の使用。
【請求項３】
前記収量は少なくとも１００％増大する、請求項２に記載の使用。
【請求項４】
前記超臨界反応過程は、他の担体又は溶媒の実質的な非存在下で実施される、請求項１に記載の方法又は請求項２又は３に記載の使用。
【請求項５】
前記加工助剤は、親水性−親油性バランスが約１〜約５０の両親媒性物質である、請求項１から４のいずれか１項に記載の方法又は使用。
【請求項６】
前記加工助剤は、脂肪酸エステルであるか、又は１２−ヒドロキシステアリン酸のポリグリコールモノ及びジエステルを含む、請求項１から５のいずれか１項に記載の方法又は使用。
【請求項７】
体積平均径が約２０〜約１００μｍである微粒子を調製するための、請求項１及び４から６のいずれか１項に記載の方法。
【請求項８】
前記微粒子の１０％以下では、直径（Ｄ１０％）が２０μｍ未満であり、前記微粒子の少なくとも９０％では、直径（Ｄ９０％）が１００μｍ以下である、請求項７に記載の方法。
【請求項９】
表面積が約４πｒ２〜約１０００×４πｒ２、例えば約４πｒ２〜約１０×４πｒ２であり、式中、ｒはＶＭＤの半分である微粒子を調製するための、請求項１及び４から８のいずれか１項に記載の方法。
【請求項１０】
前記超臨界流体は二酸化炭素である、請求項１及び４から９のいずれか１項に記載の方法。
【請求項１１】
前記加工助剤の量は、前記生物活性物質、前記ポリマー及び前記加工助剤の総重量の０．２〜３０重量％である、請求項１から１０のいずれか１項に記載の方法又は使用。
【請求項１２】
請求項１及び４から１１のいずれか１項に記載の方法によって得ることができる微粒子。
【請求項１３】
前記組成物は、差次的走査熱量測定（ＤＳＣ）にて測定される真の配合物である、請求項１２に記載の微粒子。
【請求項１４】
前記ポリマーは合成生分解性ポリマーを含む、請求項１２又は１３に記載の微粒子。
【請求項１５】
前記ポリマーは、ポリ（ｅ−カプロラクトン）（ＰＣＬ）、ポリ（３−ヒドロキシブチレート）（ＰＨＢ）、ポリ（エーテルエステル）多ブロックコポリマー、ポリ（乳酸）（ＰＬＡ）、乳酸とグリコール酸のコポリマー（ＰＬＧＡ）、又はその組み合わせを含む、請求項１４に記載の微粒子。
【請求項１６】
前記ポリマーはＰＬＧＡ及びＰＬＡの両方を含む、請求項１５に記載の微粒子。
【請求項１７】
前記加工助剤はポロキサマーを含む、請求項１２から１６のいずれか１項に記載の微粒子。
【請求項１８】
前記生物活性物質はヒト成長ホルモン（ｈＧＨ）である、請求項１２から１７のいずれか１項に記載の微粒子。
【請求項１９】
請求項１２から１８のいずれか１項に記載の微粒子を含む組成物。
【手続補正書】
【提出日】平成24年6月29日(2012.6.29)
【手続補正１】
【補正対象書類名】特許請求の範囲
【補正対象項目名】全文
【補正方法】変更
【補正の内容】
【特許請求の範囲】
【請求項１】
式（Ｉ）：
【化１】
2011527333.tif 000001
（Ｉ）
［式中、
ＸおよびＹの一方はＯであり、かつ他方はＮであり；
Ｒ１は−ＣＯＮＨＲ２であり；
Ｒ２は、水素、Ｃ１−３アルキル、または１つもしくは２つのヒドロキシ基で置換されたＣ２−３アルキルであり；
Ｒ３は、水素またはメチルであり；並びに
Ｒ４はＣ２−５アルキルである］
の化合物、またはその医薬的に許容される塩。
【請求項２】
ＸがＯである、請求項１の化合物、またはその医薬的に許容される塩。
【請求項３】
ＹがＯである、請求項１の化合物、またはその医薬的に許容される塩。
【請求項４】
Ｒ２が、Ｃ１−３アルキル、または１つもしくは２つのヒドロキシ基で置換されたＣ２−３アルキルである、請求項１〜３のいずれか一つの化合物、またはその医薬的に許容される塩。
【請求項５】
Ｒ２が、１つまたは２つのヒドロキシ基で置換されたＣ２−３アルキルである、請求項４の化合物、またはその医薬的に許容される塩。
【請求項６】
Ｒ２が、２−ヒドロキシエチル、２−ヒドロキシ−１−メチルエチル、２，３−ジヒドロキシプロピルまたは２−ヒドロキシ−１−ヒドロキシメチルエチルである、請求項５の化合物、またはその医薬的に許容される塩。
【請求項７】
Ｒ２が２−ヒドロキシ−１−メチルエチルである、請求項６の化合物、またはその医薬的に許容される塩。
【請求項８】
Ｒ２が水素である、請求項１〜３のいずれか一つの化合物、またはその医薬的に許容される塩。
【請求項９】
Ｒ３が水素である、請求項１〜８のいずれか一つの化合物、またはその医薬的に許容される塩。
【請求項１０】
Ｒ３がメチルである、請求項１〜８のいずれか一つの化合物、またはその医薬的に許容される塩。
【請求項１１】
Ｒ３がメチルであり、かつ生成される立体中心が（Ｒ）配置を有する、請求項９の化合物、またはその医薬的に許容される塩。
【請求項１２】
Ｒ４がＣ３−４アルキルである、請求項１〜１０のいずれか一つの化合物、またはその医薬的に許容される塩。
【請求項１３】
Ｒ４が、ｎ−プロピル、イソプロピル、またはｔｅｒｔ−ブチルである、請求項１１の化合物、またはその医薬的に許容される塩。
【請求項１４】
Ｒ４がＣ３アルキルである、請求項１２の化合物、またはその医薬的に許容される塩。
【請求項１５】
Ｒ４がイソプロピルである、請求項１３の化合物、またはその医薬的に許容される塩。
【請求項１６】
実施例１〜４のいずれか一つで定義される式（Ｉ）の化合物、またはその医薬的に許容される塩。
【請求項１７】
請求項１〜１６のいずれか一つの化合物、またはその医薬的に許容される塩、並びに医薬的に許容される担体を含む医薬組成物。
【請求項１８】
請求項１〜１６のいずれか一つの化合物、またはその医薬的に許容される塩を含む、ＧＰＲ１１９が役割を果たす疾患または症状の治療剤。
【請求項１９】
請求項１〜１６のいずれか一つの化合物、またはその医薬的に許容される塩を含む、満腹の調節剤。
【請求項２０】
請求項１〜１６のいずれか一つの化合物、またはその医薬的に許容される塩を含む、肥満症の治療剤。
【請求項２１】
請求項１〜１６のいずれか一つの化合物、またはその医薬的に許容される塩を含む、糖尿病の治療剤。
【請求項２２】
請求項１〜１６のいずれか一つの化合物、またはその医薬的に許容される塩を含む、メタボリックシンドローム（シンドロームＸ）、耐糖能障害、高脂血症、高トリグリセリド血症、高コレステロール血症、低ＨＤＬレベルまたは高血圧症の治療剤。
【請求項２３】
薬剤として使用するための、請求項１〜１６のいずれか一つの化合物、またはその医薬的に許容される塩。
【請求項２４】
請求項１８〜２２のいずれか一つで定義される疾患または症状の治療剤または予防剤の製造における、請求項１〜１６のいずれか一つの化合物、またはその医薬的に許容される塩の使用。
【請求項２５】
請求項１８〜２２のいずれか一つで定義される疾患または症状の治療または予防に使用するための、請求項１〜１６のいずれか一つの化合物、またはその医薬的に許容される塩。
【請求項２６】
式（ＸＩＶ）：
【化２】
2011527333.tif 000002
（ＸＩＶ）
の化合物を、式Ｒ２ＮＨ２（上記式中、Ｒ２、Ｒ３、Ｒ４、ＸおよびＹは、請求項１と同義である）のアミンとカップリングさせることを特徴とする、請求項１で定義される式（Ｉ）の化合物、またはその医薬的に許容される塩の製造方法。
【手続補正書】
【提出日】平成24年6月29日(2012.6.29)
【手続補正１】
【補正対象書類名】特許請求の範囲
【補正対象項目名】全文
【補正方法】変更
【補正の内容】
【特許請求の範囲】
【請求項１】
式（Ｉ）：
【化１】
2011527332.tif 000001
（Ｉ）
［式中、
Ｒ1は、
【化２】
2011527332.tif 000002
であり、その中で、Ｗ、ＸおよびＹのうち１つはＮまたはＣＨであり、かつ残りはＣＨであり、ここで、存在する該ＨはＲ5で置換されていてもよく；並びにＴおよびＵの一方はＯであり、かつ他方はＮであり；
Ｒ2およびＲ3は独立して、水素、メチルおよびフルオロから選択され；
Ｒ4は、水素またはメチルであり；
ｎは、０、１または２であり；
ｒおよびｓは独立して、１および２から選択され、並びに該（ＣＨ2）r単位のうち１つのＣＨ2基は、ＣＨ（ＯＨ）、ＣＨ（ＣＨ3）またはＣＨ（ＣＦ3）で適宜置換されていてもよく；
Ｑは、ＣＨまたはＮであり；
Ｒ5は、Ｃ1-4アルキル、Ｃ1-4アルコキシ、フルオロ、クロロまたはＣ1-3フルオロアルキルであり；並びに
Ｒ6はＣ2-5アルキルである］
の化合物、またはその医薬的に許容される塩。
【請求項２】
Ｒ1が、
【化３】
2011527332.tif 000003
である、請求項１の化合物、またはその医薬的に許容される塩。
【請求項３】
ＴがＯであり、かつＵがＮである、請求項２の化合物、またはその医薬的に許容される塩。
【請求項４】
Ｒ6がＣ2-3アルキルである、請求項２もしくは３の化合物、またはその医薬的に許容される塩。
【請求項５】
Ｒ1が、
【化４】
2011527332.tif 000004
である、請求項１の化合物、またはその医薬的に許容される塩。
【請求項６】
ＷおよびＸがＣＨである、請求項５の化合物、またはその医薬的に許容される塩。
【請求項７】
ＷおよびＸがＣＨであり、かつＹがＮである、請求項６の化合物、またはその医薬的に許容される塩。
【請求項８】
ｎが１である、請求項５〜７のいずれか一つの化合物、またはその医薬的に許容される塩。
【請求項９】
Ｒ5が、該ピペリジニル窒素への結合点に対してメタまたはパラ位である、請求項８の化合物、またはその医薬的に許容される塩。
【請求項１０】
Ｒ2およびＲ3の一方がメチルであり、かつ他方が水素である、請求項１〜９のいずれか一つの化合物、またはその医薬的に許容される塩。
【請求項１１】
ｒおよびｓの一方が１であり、かつ他方が２である、請求項１〜１０のいずれか一つの化合物、またはその医薬的に許容される塩。
【請求項１２】
ＱがＣＨである、請求項１〜１１のいずれか一つの化合物、またはその医薬的に許容される塩。
【請求項１３】
Ｒ4が水素である、請求項１〜１２のいずれか一つの化合物、またはその医薬的に許容される塩。
【請求項１４】
実施例１〜２８のいずれか一つに定義される式（Ｉ）の化合物、またはその医薬的に許容される塩。
【請求項１５】
請求項１〜１４のいずれか一つの化合物、またはその医薬的に許容される塩、並びに医薬的に許容される担体を含む医薬組成物。
【請求項１６】
請求項１〜１４のいずれか一つの化合物、またはその医薬的に許容される塩を含む、ＧＰＲ１１９が役割を果たす疾患または症状の治療剤。
【請求項１７】
請求項１〜１４のいずれか一つの化合物、またはその医薬的に許容される塩を含む、満腹の調節剤。
【請求項１８】
請求項１〜１４のいずれか一つの化合物、またはその医薬的に許容される塩を含む、肥満症の治療剤。
【請求項１９】
請求項１〜１４のいずれか一つの化合物、またはその医薬的に許容される塩を含む、糖尿病の治療剤。
【請求項２０】
請求項１〜１４のいずれか一つの化合物、またはその医薬的に許容される塩を含む、メタボリックシンドローム（シンドロームＸ）、耐糖能障害、高脂血症、高トリグリセリド血症、高コレステロール血症、低ＨＤＬレベルまたは高血圧症の治療剤。
【請求項２１】
薬剤として使用するための、請求項１〜１４のいずれか一つの化合物、またはその医薬的に許容される塩。
【請求項２２】
請求項１６〜２０のいずれか一つで定義される疾患または症状の治療剤または予防剤の製造における、請求項１〜１４のいずれか一つの化合物、またはその医薬的に許容される塩の使用。
【請求項２３】
請求項１６〜２０のいずれか一つで定義される疾患または症状の治療または予防に使用するための、請求項１〜１４のいずれか一つの化合物、またはその医薬的に許容される塩。
【手続補正書】
【提出日】平成24年7月3日(2012.7.3)
【手続補正１】
【補正対象書類名】特許請求の範囲
【補正対象項目名】全文
【補正方法】変更
【補正の内容】
【特許請求の範囲】
【請求項１】
式Ｉの化合物またはその互変異性体若しくは薬学的に許容され得る塩を含む組成物。
【化１】
2011527340.tif 000001
（式中、各Ｒ１、Ｒ２、Ｒ３およびＲ４は、Ｈ、ＣＨ３及び−Ｃ（＝Ｏ）Ｒｎからなる群から選択され、Ｒｎは炭素数１２〜３０のアルキルまたはアルケニル基であり、該アルケニル基は、１以上の二重結合を有し、
Ｒ１、Ｒ２、Ｒ３およびＲ４のうち少なくとも１つは−Ｃ（＝Ｏ）Ｒｎであり、該Ｒｎは式ＩＩＩａであり、並びにＲ１、Ｒ２、Ｒ３およびＲ４のうち少なくとも１つは−Ｃ（＝Ｏ）Ｒｎであり、該Ｒｎは式ＩＩＩｂであり、
波線は、単結合または二重結合を表す。）
【化２】
2011527340.tif 000002
【請求項２】
Ｒｎは炭素数１２〜３０のアルケニル基であり、該アルケニル基は少なくとも１つのシス形の二重結合を有する、請求項１記載の組成物。
【請求項３】
Ｒｎは炭素数１２〜３０のアルケニル基であり、該アルケニル基は少なくとも１つのトランス形の二重結合を有する、請求項１記載の組成物。
【請求項４】
Ｒｎは炭素数１２〜３０のアルケニル基であり、該アルケニル基はシス形及びトランス形の二重結合を有する、請求項１記載の組成物。
【請求項５】
ａ）式ＩＶの化合物を、式ＩＩＩａまたはＩＩＩｂの化合物と、有機溶媒中、４−（ジメチルアミノ）ピリジンおよびジシクロヘキシルカルボジイミドの存在下で反応させ、式Ｖの化合物を形成することと、
【化３】
2011527340.tif 000003
（式中、Ｒ１とＲ２の少なくとも一方はＨであり得、他方はＨまたはＣＨ３であり得る）
【化４】
2011527340.tif 000004
【化５】
2011527340.tif 000005
（式中、Ｒ１とＲ２の少なくとも一方はＨまたはＣＨ３であり得、他方は、式ＩＩＩａまたはＩＩＩｂから選択され得る）
ｂ）工程（ａ）で得られた式Ｖの化合物をアセチルアセトンと、有機溶媒中、酸化ホウ素、ホウ酸トリアルキル、第１級有機アミンまたは第２級有機アミンの存在下で反応させ、式Ｉの化合物を形成することと、
【化６】
2011527340.tif 000006
式中、各Ｒ１、Ｒ２、Ｒ３およびＲ４は、Ｈ、ＣＨ３及び−Ｃ（＝Ｏ）Ｒｎからなる群から選択され、Ｒｎは炭素数１２〜３０のアルキルまたはアルケニル基であり、該アルケニル基は、１以上の二重結合を有し、
Ｒ１、Ｒ２、Ｒ３およびＲ４のうち少なくとも１つは−Ｃ（＝Ｏ）Ｒｎであり、該Ｒｎは式ＩＩＩａであり、並びにＲ１、Ｒ２、Ｒ３およびＲ４のうち少なくとも１つは−Ｃ（＝Ｏ）Ｒｎであり、該Ｒｎは式ＩＩＩｂであり、
波線は、単結合または二重結合を表す。
【化７】
2011527340.tif 000007
を含む、式Ｉの化合物の製造方法。
【請求項６】
前記有機溶媒が、ジメチルホルムアミド、ジメチルスルホキシド、酢酸エチルおよびジクロロメタンからなる群より選択される、請求項５記載の方法。
【請求項７】
前記ホウ酸トリアルキルがＣ１〜Ｃ１０ホウ酸トリアルキルから選択される請求項５または６記載の方法。
【請求項８】
前記第１級有機アミンはｎ−ブチルアミンである請求項５〜７のいずれか１項に記載の方法。
【請求項９】
前記第２級アミンは、１，２，３，４−テトラヒドロキノリンである請求項５〜８のいずれか１項に記載の方法。
【請求項１０】
更に、カルボジイミド及びアミンからなる群から選択される活性化剤を含む請求項５〜９のいずれか１項に記載の方法。
【請求項１１】
請求項１〜４のいずれか１項に記載の化合物および薬学的に許容され得る担体を含む医薬組成物。
【請求項１２】
神経障害の治療及び／又は予防に用いられる請求項１記載の組成物。
【請求項１３】
アルツハイマー病の治療及び／又は予防に用いられる請求項１記載の組成物。
【請求項１４】
治療において、脳組織、腸組織、炎症組織、癌細胞及び／又はヒト身体の任意の部分への薬物送達を増大させるために用いる請求項１記載の組成物。